(57)【特許請求の範囲】
【請求項１】
圧縮された音声信号で変調された送信信号を受信する受信手段と、
この受信手段の出力信号を検波して、検波信号を生成する検波手段と、
前記検波信号が入力されて、これを伸張するが、前記検波信号が入力されてから安定した出力信号を出力するまで立ち上がり時間が必要な伸張手段と、
前記検波手段と前記伸張手段の入力側との間に設けられ、前記検波信号が前記伸張手段に供給された信号供給状態と、前記伸張手段に前記検波信号を非供給の信号非供給状態とに切り換えられる第１の切換手段と、
前記伸張手段の出力側に設けられ、前記伸張手段の出力信号を出力する出力状態と、前記伸張手段の出力信号の出力を停止する非出力状態とに、切り換えられる第２の切換手段と、
前記検波信号が供給され、それに含まれるノイズが予め定めたレベルよりも小さいときに検出信号を発生するノイズスケルチ手段と、
このノイズスケルチ手段の検出信号が非入力のとき、第１の切換手段を前記信号非供給状態に、第２の切換手段を前記非出力状態とし、前記ノイズスケルチ手段の検出信号が入力されたとき、第１の切換手段を前記信号供給状態とし、前記検出信号が入力されてから、前記立ち上がり時間の経過後に第２の切換手段を前記出力状態とする制御手段とを、
具備する受信機。
【請求項２】
請求項１記載の受信機において、前記制御手段は、前記検波信号に含まれるトーン信号を検出するトーンスケルチ手段を含み、前記トーン信号が前記トーンスケルチ手段で検出されたとき、第２の切換手段を前記出力状態とする受信機。
【請求項３】
請求項１記載の受信機において、前記制御手段は、前記ノイズスケルチ手段の検出信号を前記立ち上がり時間以上に遅延させる遅延手段を含み、この遅延手段の出力信号によって第２の切換手段を前記出力状態とする受信機。
【請求項４】
圧縮された音声信号で変調された送信信号を受信して、中間周波信号に変換する受信手段と、
この受信手段からの前記中間周波信号を検波して、検波信号を生成する検波手段と、
前記検波信号が入力されて、これを伸張するが、安定した出力信号を出力するまで立ち上がり時間が必要な伸張手段と、
前記検波手段と前記伸張手段の入力側との間に設けられ、前記検波信号が前記伸張手段に供給された信号供給状態と、前記伸張手段に前記検波信号を非供給の信号非供給状態とに切り換えられる第１の切換手段と、
前記伸張手段の出力側に設けられ、前記伸張手段の出力信号を出力する出力状態と、前記伸張手段の出力信号の出力を停止する非出力状態とに、切り換えられる第２の切換手段と、
前記中間周波信号のレベルを検出し、これが予め定めたレベル以上のとき、検出信号を発生するキャリアスケルチ手段と、
このキャリアスケルチ手段の検出信号が非入力のとき、第１の切換手段を前記信号非供給状態に、第２の切換手段を前記非出力状態とし、前記キャリアスケルチ手段の検出信号が入力されたとき、第１の切換手段を前記信号供給状態とし、前記検出信号が入力されてから、前記立ち上がり時間の経過後に第２の切換手段を前記出力状態とする制御手段とを、
具備する受信機。
【発明の詳細な説明】
【０００１】
【発明の属する技術分野】
本発明は、受信機に関し、特に伸張回路を備えたものに関する。
【０００２】
【従来の技術】
伝送系のノイズを低減するために、送信機、例えばワイヤレスマイクロホン側で音声信号を圧縮し、これを変調して送信し、受信機側で復調した後、伸張するコンパンダシステムが使用されることがある。このシステムで使用される受信機の一例を図４に示す。同図において、図示しない受信部によって、ワイヤレスマイクロホンからの電波が受信され、中間周波信号に変換される。この中間周波信号は、検波回路２に供給されて、検波信号が生成される。この検波信号が伸張回路、例えばエキスパンダ４に供給され、ここで伸張され、音声出力として出力される。この受信機では、ワイヤレスマイクロホンからの電波がないときの残留雑音を低減するために、エキスパンダ４の入力側に音声スイッチ６を設け、これを開閉制御するためにノイズスケルチ検出回路８、トーンスケルチ検出回路１０及びＣＰＵ１２を設けている。
【０００３】
即ち、図５（ａ）に示すようにワイヤレスマイクロホンから送信が開始されると、ノイズが予め定めたレベル以下になり、同図（ｂ）に示すようにノイズスケルチ回路８が検出信号をＣＰＵ１２に供給する。さらに、ワイヤレスマイクロホンから送信されたトーン信号が検波出力信号に含まれていることをトーンスケルチ検出回路が同図（ｃ）に示すように検出し、この検出信号をＣＰＵ１２に供給する。ＣＰＵ１２は、両検出信号が供給されたとき、同図（ｄ）に示すように音声スイッチ６を閉成し、エキスパンダ４に検波信号を供給し、エキスパンダ４はこれを伸張して、同図（ｅ）に示すように出力する。
【０００４】
【発明が解決しようとする課題】
しかし、エキスパンダ４には、検波信号が入力されてから、これを安定して伸張できるようになるまでに立ち上がり時間が必要である。上記の受信機では、両スケルチ検出回路８、１０が共に検出信号を検出したときに、始めて検波信号がエキスパンダ４に供給される。そのため、エキスパンダ４から出力される音声の立ち上がり特性が鈍くなると言う問題点がある。つまり、音声スイッチ６が閉成されて、直ちに音声を拡声したとき、エキスパンダ４の立ち上がりと音声とが重なり、音声として歯切れの悪い音として聞こえる。特にワイヤレスマイクロホンの送信の開始と同時にチャイム音などの単一音を拡声する場合に歯切れの悪さが目立つ。
【０００５】
本発明は、伸張回路を使用している場合でも、伸張回路から出力される音声信号の歯切れを良好にすることを目的とする。
【０００６】
【課題を解決するための手段】
本発明は、縮された音声信号で変調された送信信号を受信する受信手段を含んでいる。  この受信手段の出力信号を検波手段が検波して、検波信号を生成する。検波信号が伸張手段に入力され、これを伸張する。但し、検波信号が入力されてから伸張手段が安定した出力信号を出力するまで立ち上がり時間が必要である。検波手段と前記伸張手段の入力側との間に第１の切換手段が設けられている。第１の切換手段は、前記検波信号が前記伸張手段に供給された信号供給状態と、前記伸張手段に前記検波信号を非供給の信号非供給状態とに切り換えられる。前記伸張手段の出力側に第２の切換手段が設けられている。第２の切換手段は、前記伸張手段の出力信号を出力する出力状態と、前記伸張手段の出力信号の出力を停止する非出力状態とに、切り換えられる。前記検波信号が供給され、それに含まれるノイズが予め定めたレベルよりも小さいときに検出信号をノイズスケルチ手段が発生する。このノイズスケルチ手段の検出信号が非入力のとき、第１の切換手段を前記信号非供給状態に、第２の切換手段を前記非出力状態とし、前記ノイズスケルチ手段の検出信号が入力されたとき、第１の切換手段を前記信号供給状態とし、前記検出信号が入力されてから、前記立ち上がり時間の経過後に第２の切換手段を前記出力状態とする制御手段が設けられている。なお、受信手段は、送信信号を中間周波信号に変換するものの場合、ノイズスケルチ手段に変えて、中間周波信号のレベルを検出し、これが予め定めたレベル以上のとき、検出信号を発生するキャリアスケルチ手段を使用することができる。
【０００８】
スケルチ検出手段としては、ノイズスケルチ検出手段を使用することができる。ノイズスケルチ検出手段は、その応答性が速く、素早く第１の切換手段を信号供給状態とすることができ、伸張手段の動作を早めることができる。
【０００９】
更に、制御手段は、前記検波信号に含まれるトーン信号を検出するトーンスケルチ検出手段を含むことができる。制御手段は、このトーン信号が検出されたとき、第２切換手段を前記出力状態とする。
【００１０】
このように構成した場合、トーンスケルチ回路は、その応答性がノイズスケルチ検出回路と比較して遅い。従って、トーンスケルチ回路によって第２の切換手段を切り換えるように構成すれば、当然に伸張手段の立ち上がり時間の経過後に伸張手段の出力信号を第２の切換手段を介して出力することができる。特に、トーンスケルチ検出回路は、このような受信機に使用することが一般的であるので、コスト増を招くことなく、歯切れのよい音声を出力することもできる。
【００１１】
或いは、制御手段は、ノイズスケルチ検出信号を遅延させる遅延手段を含むことができる。この場合、制御手段は、この遅延手段の出力信号によって第２切換手段を前記出力状態とする。
【００１２】
このように構成した場合、遅延時間を任意に調整することができるので、遅延時間を、伸張手段の立ち上がり特性に対応した最適な時間に設定することができ、応答性を高めることができる。
【００１３】
【発明の実施の形態】
本発明の第１の実施形態の受信機は、図１に示すように検波手段、例えば検波回路２０を有している。検波回路２０には、図示していない受信手段、例えばチューナ部から中間周波信号が供給されている。チューナ部は、図示していない送信機、例えばワイヤレスマイクロホンからの変調された高周波信号を受信し、これを中間周波信号に変換して、検波回路２０に供給する。検波回路２０は、これを検波して検波信号を発生する。なお、ワイヤレスマイクロホンでは、マイクロホンで集音された音声信号を圧縮し、これによって所定周波数の高周波信号を変調して、送信している。
【００１４】
検波回路２０の検波信号は、第１の切換手段、例えば音声スイッチ２２を介して伸張手段、例えばエキスパンダ２４の入力側に供給されている。即ち、音声スイッチ２２は、検波回路２０の出力側とエキスパンダ２４の入力側との間に直列に接続されている。この音声スイッチ２２は、制御手段２６のＣＰＵ２８によって制御される。即ち、音声スイッチ２２は、ＣＰＵ２８によって、信号供給状態、例えばオン状態、及び信号非供給状態例えばオフ状態の一方に選択される。
【００１５】
また、エキスパンダ２４の出力側には、第２の切換手段、例えば音声スイッチ３０が設けられている。この音声スイッチ３０もＣＰＵ２８によって、信号出力状態、例えばオン状態及び信号非出力状態たとえはオフ状態のいずれかに選択される。なお、音声スイッチ３０の出力は、例えば増幅された後、スピーカシステムに供給される。
【００１６】
検波回路２０の検波信号は、スケルチ検出手段、例えばノイズスケルチ検出回路３２に供給される。このノイズスケルチ検出回路３２は、図示していないが、ノイズ成分を検出するフィルタを有し、そのフィルタの出力信号のレベルが予め定めたレベルよりも小さいとき、検出信号を発生する。この検出信号はＣＰＵ２８に供給され、ＣＰＵ２８は、この検出信号を受けたとき、音声スイッチ２２をオンとし、この検出信号が消失したとき、音声スイッチ２２をオフとする。
【００１７】
制御回路２８は、トーンスケルチ検出回路３４を有している。このトーンスケルチ検出回路３４は、検波信号に含まれているトーン信号を検出したとき、検出信号を発生する。このトーン信号は、ワイヤレスマイクロホンのマイクロホンで集音された音声信号と共に、ワイヤレスマイクロホンから送信されたものである。この検出信号は、ＣＰＵ２８に供給される。ＣＰＵ２８は、ノイズスケルチ検出回路３２からの検出信号が供給されている状態で、トーンスケルチ検出回路３４から検出信号が供給されると、音声スイッチ３０をオンとする。
【００１８】
次に、この受信機の動作を説明する。ワイヤレスマイクロホンから送信が行われていない状態では、音声スイッチ２２、３０は、共にオフ状態にある。図２（ａ）に示すようにワイヤレスマイクロホンから送信が開始されると、それから幾分遅れて、同図（ｂ）に示すようにノイズスケルチ検出回路３２が検出信号を生成し、これによって同図（ｃ）に示すようにＣＰＵ２８が音声スイッチ２２をオンとする。これによって、同図（ｄ）に示すようにエキスパンダ２４に検波信号が供給され、伸張が開始される。このとき、エキスパンダ２４の立ち上がり特性の影響を受け、その出力は歯切れの悪いものであるが、音声スイッチ３０はオフであるので、歯切れの悪いエキスパンダ２４の出力信号は、音声スイッチ３０を介して出力されない。
【００１９】
やがて、同図（e）に示すようにトーンスケルチ検出回路３４がトーン信号を検出し、ＣＰＵ２６に供給する。ＣＰＵ２６は、ノイズスケルチ検出回路３２とトーンスケルチ検出回路３４の双方から検出信号が供給されているので、同図（ｆ）に示すように音声スイッチ３０をオンとし、同図（ｇ）に示すようにエキスパンダ２４の出力信号を出力する。
【００２０】
ノイズスケルチ検出回路３２が検出信号を発生してから、トーンスケルチ検出回路３４が検出信号を発生するまでの時間は、数１００ｍ秒である。一方、エキスパンダ２４の立ち上がり時間（検波信号の供給が開示されてから安定した出力信号を出力できるまでの時間）は、数１０ｍ秒である。従って、音声スイッチ２２がオンとなって数１０ｍ秒後には、エキスパンダ２４の出力は安定しており、それよりも充分時間が経過した後に、音声スイッチ３０がオンとなるので、立ち上がりの鈍さが改善された音声信号が音声スイッチ３０から出力される。
【００２１】
第２の実施の形態の受信機を図３に示す。なお、第１の実施の形態と同等部分には同一符合を付して、その説明を省略する。この実施の形態では、トーンスケルチ検出回路３４に代えて、制御回路２６ａに遅延回路３６を設けてある。遅延回路３６には、ノイズスケルチ検出回路３２の検出信号が供給される。遅延回路３６は、これを所定時間遅延させた後、ＣＰＵ２８に供給する。ＣＰＵ２８は、この遅延回路３６からの遅延信号が供給されたとき、音声スイッチ３０をオンとする。
【００２２】
この受信機においても第１の実施の形態の受信機と同様に、音声スイッチ２２がオンされた後、遅延時間の経過後に音声スイッチ３０をオンすることができ、遅延時間を適切に設定すると、立ち上がりを改善した音声信号を音声スイッチ３０から出力することができる。しかも、遅延回路３６を使用しているので、音声スイッチ３０からの音声信号の出力を最適なタイミングで行うことができる。ノイズスケルチ検出回路３２が検出信号を発生したことによって、検波信号がエキスパンダ２２に供給されてから数１０ｍ秒後には、エキスパンダ２２は安定した出力信号を発生する。従って、遅延回路３６の遅延時間を例えば数１０ｍ秒よりもわずかに遅い時間に設定すると、エキスパンダ２２の出力信号が安定すると、直ちにエキスパンダ２２から安定した音声信号を出力することができ、第１の実施の形態のように数１００ｍ秒も待つ必要が無く、応答性を高めることができる。
【００２３】
上記の２つの実施の形態では、ワイヤレスマイクロホン用の受信機に本発明を実施したが、他の送信機からの電波を受信するための受信機にも、本発明を実施することができる。また、上記の両実施の形態では、ノイズスケルチ回路を使用したが、例えばチューナ部の中間周波信号のレベルを検出し、これを基準値と比較して、予め定めたレベル以上のとき、検出信号を発生するキャリアスケルチ検出回路を使用することもできる。また、上記の両実施の形態では、音声スイッチ２４を検波回路２０とエキスパンダ２２との間に直列に接続したが、検波回路２０とエキスパンダ２２とを直接に結合し、音声スイッチ２２をエキスパンダ２４の入力側と基準電位点との間に接続してもよい。この場合、信号供給状態では、音声スイッチ２２はオフとなり、信号非供給状態で音声スイッチはオンとなる。同様に、音声スイッチ３０をエキスパンダ２２の出力側と基準電位点との間に接続してもよい。この場合、信号出力状態で音声スイッチ３０がオフとなり、信号非出力状態で音声スイッチ３０がオンとなる。
【００２４】
【発明の効果】
以上のように、本発明によれば、伸張手段の入力側と出力側とのそれぞれ切換手段を設け、入力側の切換手段を介して検波信号を供給してから伸張手段の立ち上がり時間が経過した後に、出力側の切換手段を介して伸張手段の出力信号を出力するように構成しているので、伸張手段を設けたことによる伝送系ノイズの低減及び入力側切換手段を設けたことによる残留雑音の低減をそれぞれ維持しながら、伸張手段から出力される音声信号の立ち上がりを改善することができる。
【図面の簡単な説明】
【図１】本発明の第１の実施の形態の受信機のブロック図である。
【図２】図１の受信機の各部の波形図である。
【図３】本発明の第２の実施の形態の受信機のブロック図である。
【図４】従来の受信機のブロック図である。
【図５】図４の受信機の各部の波形図である。
【符号の説明】
２０  検波回路（検波手段）
２２  音声スイッチ（第１の切換手段）
２４  エキスパンダ（伸張手段）
２６  制御回路（制御手段）
３２  ノイズスケルチ検出回路（スケルチ検出手段）
【図１】
0004117109.tif 000002
【図２】
0004117109.tif 000003
【図３】
0004117109.tif 000004
【図４】
0004117109.tif 000005
【図５】
0004117109.tif 000006